(57)【特許請求の範囲】
【請求項１】
所定の軸部材の外周側に設けられたゴム弾性体と、該ゴム弾性体の外周側に設けられた外筒と、を有する防振ブッシュに関し、前記外筒が所定の被取付部材の円筒部内に相対的に嵌合されて軸方向の抜け出し不能に取り付けられる取付構造であって、
前記ゴム弾性体に一体に設けられ、互いに嵌合される前記外筒および前記円筒部の軸方向の嵌合端を規定するフランジと、
前記外筒および前記円筒部の何れか一方に設けられた軸方向溝と、
前記外筒および前記円筒部の他方に設けられ、該外筒と該円筒部とを軸方向に嵌合する際に前記軸方向溝内を移動させられる突起と、
前記軸方向溝が設けられる一方の部材に設けられ、前記外筒および前記円筒部が前記嵌合端まで嵌合された後に、前記フランジが該円筒部に当接して弾性変形させられることにより、該外筒および該円筒部が軸方向へ相対変位させられるとともに、軸心まわりに所定角度だけ相対回転させられることにより、前記軸方向溝から抜け出した前記突起が係止される係止部と、
を有することを特徴とする防振ブッシュの取付構造。
【請求項２】
前記被取付部材は車両のロアアームで、
前記軸部材は、前記防振ブッシュから軸方向の両側へ突き出す一対の連結部を介して車体に固定されるもので、
前記軸方向溝は前記円筒部の内周面に軸方向の全長に亘って設けられており、
前記突起は前記外筒の軸方向の一端部に設けられ、該外筒が該一端部側から前記円筒部に対して前記嵌合端まで嵌合されることにより該円筒部の軸方向の一端部から突き出し、軸心まわりに相対回転させられることにより該円筒部の一端部に設けられた前記係止部に係止される
ことを特徴とする請求項１に記載の防振ブッシュの取付構造。
【請求項３】
前記フランジは、前記外筒の軸方向の他端部において該外筒よりも外周側へ突き出すように前記ゴム弾性体に一体に設けられており、
前記円筒部の一端部に設けられた前記係止部は、前記フランジが該円筒部の他端部に当接して弾性変形させられることにより前記突起が乗り越えることができる突出傾斜部と、該突出傾斜部を乗り越えた該突起を位置決めする凹所と、を備えている
ことを特徴とする請求項２に記載の防振ブッシュの取付構造。
【発明の詳細な説明】
【技術分野】
【０００１】
本発明は防振ブッシュに係り、特に、その防振ブッシュを被取付部材の円筒部に取り付けたり円筒部から取り外したりする作業を容易に行うことができる取付構造に関するものである。
【背景技術】
【０００２】
所定の軸部材の外周側に設けられたゴム弾性体と、そのゴム弾性体の外周側に設けられた外筒と、を有する防振ブッシュが、例えば車両のサスペンション装置などに広く用いられており、ロアアーム等の所定の被取付部材の円筒部内に上記外筒が嵌合されて軸方向の抜け出し不能に取り付けられるようになっている。特許文献１に記載の防振ブッシュはその一例で、外筒が変形可能な樹脂製で、被取付部材の円筒部の内周面には段差が設けられており、外筒を縮径させながら円筒部内に圧入することにより、その外筒が円筒部の内周面の段差に倣って変形させられ、軸方向の抜け出し不能に取り付けられる。
【先行技術文献】
【特許文献】
【０００３】
【特許文献１】特開２００４−２１１８１０号公報
【発明の概要】
【発明が解決しようとする課題】
【０００４】
しかしながら、このような従来の取付構造においては、被取付部材の円筒部内に防振ブッシュが圧入され、樹脂製の外筒が変形して軸方向の抜け出しが阻止されるため、その防振ブッシュを取り外すことが困難で、例えば特性が異なる複数種類の防振ブッシュを交換しながら性能試験等を行う場合、交換が面倒で時間が掛かるとともに外筒が変形したり破損したりする恐れがあった。
【０００５】
本発明は以上の事情を背景として為されたもので、その目的とするところは、防振ブッシュを被取付部材の円筒部に取り付けたり円筒部から取り外したりする作業を容易に行うことができるようにすることにある。
【課題を解決するための手段】
【０００６】
かかる目的を達成するために、第１発明は、所定の軸部材の外周側に設けられたゴム弾性体と、そのゴム弾性体の外周側に設けられた外筒と、を有する防振ブッシュに関し、前記外筒が所定の被取付部材の円筒部内に相対的に嵌合されて軸方向の抜け出し不能に取り付けられる取付構造であって、(a) 前記ゴム弾性体に一体に設けられ、互いに嵌合される前記外筒および前記円筒部の軸方向の嵌合端を規定するフランジと、(b) 前記外筒および前記円筒部の何れか一方に設けられた軸方向溝と、(c) 前記外筒および前記円筒部の他方に設けられ、それ等の外筒と円筒部とを軸方向に嵌合する際に前記軸方向溝内を移動させられる突起と、(d) 前記軸方向溝が設けられる一方の部材に設けられ、前記外筒および前記円筒部が前記嵌合端まで嵌合された後に、前記フランジがその円筒部に当接して弾性変形させられることにより、それ等の外筒および円筒部が軸方向へ相対変位させられるとともに、軸心まわりに所定角度だけ相対回転させられることにより、前記軸方向溝から抜け出した前記突起が係止される係止部と、を有することを特徴とする。
【０００７】
第２発明は、第１発明の防振ブッシュの取付構造において、(a) 前記被取付部材は車両のロアアームで、(b) 前記軸部材は、前記防振ブッシュから軸方向の両側へ突き出す一対の連結部を介して車体に固定されるもので、(c) 前記軸方向溝は前記円筒部の内周面に軸方向の全長に亘って設けられており、(d) 前記突起は前記外筒の軸方向の一端部に設けられ、その外筒がその一端部側から前記円筒部に対して前記嵌合端まで嵌合されることによりその円筒部の軸方向の一端部から突き出し、軸心まわりに相対回転させられることによりその円筒部の一端部に設けられた前記係止部に係止されることを特徴とする。
【０００８】
第３発明は、第２発明の防振ブッシュの取付構造において、(a) 前記フランジは、前記外筒の軸方向の他端部においてその外筒よりも外周側へ突き出すように前記ゴム弾性体に一体に設けられており、(b) 前記円筒部の一端部に設けられた前記係止部は、前記フランジがその円筒部の他端部に当接して弾性変形させられることにより前記突起が乗り越えることができる突出傾斜部と、その突出傾斜部を乗り越えた突起を位置決めする凹所と、を備えていることを特徴とする。
【発明の効果】
【０００９】
このような防振ブッシュの取付構造においては、被取付部材の円筒部内に外筒を嵌合すると、突起が軸方向溝内を移動させられ、ゴム弾性体に設けられたフランジによって規定される嵌合端まで嵌合した後に、そのフランジが円筒部に当接して弾性変形させられることにより、それ等の外筒および円筒部が軸方向へ相対変位させられ、軸心まわりに所定角度だけ相対回転させると、軸方向溝から抜け出した突起が係止部に係止され、防振ブッシュが円筒部に対して軸方向の抜け出し不能に取り付けられる。また、このように被取付部材の円筒部に防振ブッシュが取り付けられた状態において、フランジを弾性変形させながらその防振ブッシュと円筒部とを軸心まわりに相対回転させれば、軸心まわりにおいて突起と軸方向溝とを一致させることが可能で、突起がその軸方向溝内を通って軸方向へ移動できるようになり、円筒部から防振ブッシュを抜き出すことが許容される。すなわち、被取付部材の円筒部と防振ブッシュとを軸方向へ相対移動させたり軸心まわりに相対回転させたりすることにより、その防振ブッシュを被取付部材の円筒部に取り付けたり円筒部から取り外したりすることが可能で、その取付け、取外し作業を容易且つ迅速に行うことができるようになる。これにより、例えば特性が異なる複数種類の防振ブッシュを交換しながら性能試験等を行う場合、防振ブッシュの外筒や被取付部材の円筒部等を損傷することなく交換作業を短時間で容易に行うことができる。また、ゴム弾性体に一体に設けられたフランジによって嵌合端が規定されるため、弾性変形可能なストッパ等を別個に設ける場合に比較して安価に構成される。
【００１０】
第２発明は、車両のロアアームと車体との連結部に配設される防振ブッシュに関するもので、軸方向溝は円筒部の内周面に軸方向の全長に亘って設けられており、外筒の一端部に設けられた突起は、その外筒がその一端部側から円筒部に対して嵌合端まで嵌合されることにより、その円筒部の軸方向の一端部から突き出し、軸心まわりに相対回転させられることによりその円筒部の一端部に設けられた係止部に係止される。したがって、例えば軸方向溝を軸方向の途中まで設け、その軸方向溝の先端からＬ字型に溝を形成して係止部とし、突起を軸方向の中間位置に設ける場合に比較して、構造が簡単で安価に構成できる。
【００１１】
第３発明では、フランジが円筒部の他端部に当接して弾性変形させられることにより、突起が突出傾斜部を乗り越えて凹所内に位置決めされるため、軸部材を車体に固定する前の運搬時や車体に固定した後の車両駆動時等に、軸心まわりに相対回転して突起と軸方向溝とが一致して防振ブッシュが円筒部から軸方向へ抜け出すことが一層確実に防止される。この場合でも、防振ブッシュを軸方向へ押圧してフランジを弾性変形させれば、突起を凹所から脱出させて軸方向溝と一致する位置まで相対回転させることができるため、取外しの際の作業性を十分に確保できる。
【図面の簡単な説明】
【００１２】
【図１】本発明の一実施例を説明する図で、(a) は防振ブッシュが車両のロアアームに配設された状態を示す斜視図、(b) は(a) におけるIB部の拡大図である。
【図２】図１の防振ブッシュがロアアームの円筒部に取り付けられる前の状態を示す斜視図である。
【図３】図１の防振ブッシュがロアアームの円筒部に取り付けられた部分を軸方向に切断した断面図である。
【図４】本発明の他の実施例を説明する図で、図３に対応する断面図である。
【発明を実施するための形態】
【００１３】
本発明の防振ブッシュは、例えば車両のロアアームと車体との連結部などサスペンション装置に好適に用いられるが、サスペンション装置以外の防振ブッシュや車両用以外の防振ブッシュに適用することもできる。ゴム弾性体は、軸部材の外周面に直接固着されても良いが、軸部材とゴム弾性体との間に内筒等が設けられても良い。ゴム弾性体は、単純な円筒形状であっても良いが、中空部を設けたり端部に凹所を設けたりしても良いなど、種々の態様が可能である。互いに嵌合される外筒および円筒部は、何れも金属製が望ましいが、合成樹脂材料等の他の材料を採用することもできる。
【００１４】
第２発明では、軸方向溝が軸方向の全長に亘って設けられ、突起が軸方向の一端部に設けられ、係止部が軸方向の一端部に設けられているが、第１発明の実施に際しては、例えば軸方向溝を軸方向の途中まで設け、その軸方向溝の先端からＬ字型に溝を形成して係止部として用いるとともに、突起を軸方向の中間位置に設けるようにしても良い。軸方向溝は、軸心と平行な直線溝が望ましいが、軸心まわりにねじれたねじれ溝でも良い。突起および軸方向溝は、軸心まわりの一箇所に設けるだけでも良いが、例えば軸心を挟んで反対側に位置する２箇所に設けることもできるし、等角度間隔等で３箇所以上に設けることもできる。
【００１６】
係止部は、例えば第３発明のように突出傾斜部および凹所を有して構成することが望ましいが、軸心に対して直角な円筒部の一端部の端面等をそのまま係止部として用いることもできるし、その端面に凹所を設けるだけでも良いなど、種々の態様が可能である。突起を位置決めする凹所は、円筒部と外筒とを相対回転不能に位置決めするものでも良いが、所定角度の相対回転を許容するように突起との間に所定の遊び（隙間）が設けられても良いなど、防振ブッシュの使用部位や要求機能等に応じて適宜定められる。
【００１７】
また、第２発明では円筒部に軸方向溝が設けられ、外筒に突起が設けられているが、第１発明の実施に際しては、外筒に軸方向溝を設けるとともに円筒部に突起を設けるようにしても良い。具体的には、(a) 前記軸方向溝は前記外筒の外周面に軸方向の全長に亘って設けられており、(b) 前記突起は前記円筒部の軸方向の一端部に設けられ、該円筒部がその一端部側から前記外筒に対して前記嵌合端まで嵌合されることにより該外筒の軸方向の一端部から突き出し、軸心まわりに相対回転させられることにより該外筒の一端部に設けられた前記係止部に係止されるように構成することができる。その場合には更に、(c) 前記円筒部の軸方向の他端部に内周側へ突き出すようにストッパが一体に設けられ、前記ゴム弾性体に設けられたフランジに当接させられることによって前記嵌合端を規定するように構成され、(d) 前記外筒の一端部に設けられた前記係止部は、前記ストッパが前記フランジに当接して該フランジを弾性変形させることにより前記突起が乗り越えることができる突出傾斜部と、その突出傾斜部を乗り越えた突起を位置決めする凹所と、を有して構成されても良い。
【００１８】
本発明の防振ブッシュの取付構造は、例えば円筒部から防振ブッシュを取外し可能に構成され、特性が異なる複数種類の防振ブッシュを交換しながら性能試験等を行う場合に好適に採用されるが、被取付部材の円筒部に取り付けられた防振ブッシュの取外しを想定していない場合にも適用され得る。
【実施例１】
【００１９】
以下、本発明の実施例を、図面を参照しつつ詳細に説明する。
図１は、本発明の一実施例を説明する図で、(a) は防振ブッシュ１０が車両のロアアーム１２に配設された状態を示す斜視図、(b) は(a) におけるIB部の拡大図である。図２は、防振ブッシュ１０がロアアーム１２の円筒部１４に取り付けられる前の状態を示す斜視図で、図３は、防振ブッシュ１０がロアアーム１２の円筒部１４に取り付けられた部分を軸方向に切断した断面図である。ロアアーム１２は、車体側に連結される一対の第１連結部１６および第２連結部１８と、車輪を支持するキャリアが取り付けられるキャリア取付部２０とを備えており、第１連結部１６に金属パイプから成る円筒部１４が溶接等により一体的に固設されている。この円筒部１４は、例えば軸心Ｓが車両の前後方向と略一致する姿勢で配設される。ロアアーム１２は被取付部材に相当する。なお、図２の円筒部１４は、ロアアーム１２の本体部分を省略した図である。
【００２０】
防振ブッシュ１０は、図３の断面図から明らかなように、軸部材２２の外周側に同心に設けられたゴム弾性体２４と、そのゴム弾性体２４の外周側に同心に設けられた外筒２６とを有して構成されている。軸部材２２および外筒２６は何れも金属製で、軸部材２２は軸方向の中間部分に円筒外周面を有する円柱形状の軸部３０を備えており、その軸部３０の外周面に円筒形状のゴム弾性体２４が一体的に固着されているとともに、そのゴム弾性体２４の外周面に円筒形状の外筒２６が一体的に固着されている。軸部３０の軸方向の両側には、防振ブッシュ１０から軸方向へ突き出すように一対の偏平な連結部３２、３４が設けられており、軸部材２２は、それ等の連結部３２、３４に設けられた貫通穴３２ｈ、３４ｈを介して取付ボルト等により車体のフレーム等に一体的に固定される。なお、軸部３０には、防振ブッシュ１０の軸方向変位を規制するフランジ３６が防振ブッシュ１０から所定寸法だけ軸方向に離間した位置に一体に設けられている。
【００２１】
上記ゴム弾性体２４には、軸方向の一方の端部すなわち図３における左端部に、外筒２６の端面に沿って外周側へ延び出し、外筒２６の外周面よりも所定寸法だけ外周側へ突き出す円板状のフランジ４０が一体に設けられている。このフランジ４０はストッパとして機能するもので、円筒部１４に防振ブッシュ１０を取り付けるために、図３における右側から外筒２６の外周側に円筒部１４が相対的に嵌合される際に、その円筒部１４の先端部（左端部）がフランジ４０に当接することによって嵌合端が規定される。また、円筒部１４の内周面には、軸方向の全長に亘って軸心Ｓと平行に直線状の軸方向溝４２が設けられているとともに、その円筒部１４の軸方向の一端部すなわち図３における右端部の端面には、軸方向溝４２から軸心Ｓまわりに所定角度（例えば９０°程度）だけ隔てた位置に係止部４４が設けられている（図２参照）。一方、外筒２６の軸方向の一端部、すなわち円筒部１４内に嵌合する際の先端側の端部で図３における右端部には、外周側へ突き出す突起５０が設けられており、外筒２６がその一端部側から円筒部１４内に相対的に嵌合される際に突起５０が軸方向溝４２内を通過させられ、フランジ４０によって規定される嵌合端まで嵌合されると、突起５０は軸方向溝４２から抜け出して円筒部１４から反対側へ突き出す。そして、その状態で防振ブッシュ１０が軸部材２２と共に円筒部１４に対して軸心Ｓまわりに所定角度相対回転させられると、円筒部１４の一端部に設けられた上記係止部４４に突起５０が係止され、軸方向の抜け出し不能とされる。
【００２２】
上記係止部４４は、図１の(b) および図２に明らかに示されるように、軸心Ｓまわりの周方向へ進むに従って滑らかに軸方向へ突き出す一対の突出傾斜部４６と、その一対の突出傾斜部４６の間に設けられた凹所４８とを備えており、一対の突出傾斜部４６は突出側が対向するように凹所４８を挟んで対称的に設けられている。突出傾斜部４６の突出寸法は、突起５０と突出傾斜部４６との係合で円筒部１４が相対的にフランジ４０に押圧されてそのフランジ４０が弾性変形させられることにより、突起５０がその突出傾斜部４６を乗り越えることができる寸法で、この突出傾斜部４６を乗り越えた突起５０は凹所４８内に位置決めされる。このように突起５０が凹所４８内に位置決めされることにより、防振ブッシュ１０が円筒部１４から抜け出すことが一層確実に防止される。上記突出傾斜部４６および凹所４８の位置や凹所４８の幅寸法は、車両駆動時において防振ブッシュ１０に対するロアアーム１２の相対回動を阻害しないように、突起５０の位置や大きさを考慮して定められており、突起５０は軸心Ｓまわりに所定の遊び（隙間）を有する状態で凹所４８内に位置決めされる。また、防振ブッシュ１０と円筒部１４との相対回動を許容するように、外筒２６および円筒部１４は摺動可能に嵌合されている。
【００２３】
このような防振ブッシュ１０の取付構造においては、ロアアーム１２の円筒部１４内に外筒２６を嵌合すると、突起５０が軸方向溝４２内を移動させられ、フランジ４０によって規定される嵌合端まで嵌合した後に、突起５０と突出傾斜部４６との係合でフランジ４０を弾性変形させながら軸心Ｓまわりに所定角度だけ相対回転させると、軸方向溝４２から抜け出した突起５０が係止部４４の凹所４８に係止され、防振ブッシュ１０が円筒部１４に対して軸方向の抜け出し不能に取り付けられる。また、このようにロアアーム１２の円筒部１４に防振ブッシュ１０が取り付けられた状態において、フランジ４０を弾性変形させながら防振ブッシュ１０と円筒部１４とを所定角度だけ相対回転させれば、軸心Ｓまわりにおいて突起５０と軸方向溝４２とを一致させることが可能で、突起５０がその軸方向溝４２内を通って軸方向へ移動できるようになり、円筒部１４から防振ブッシュ１０を軸部材２２と共に抜き出して取り外すことができる。
【００２４】
すなわち、ロアアーム１２の円筒部１４と防振ブッシュ１０とを軸方向へ相対移動させたり軸心Ｓまわりに相対回転させたりすることにより、その防振ブッシュ１０をロアアーム１２の円筒部１４に対して取り付けたり円筒部１４から取り外したりすることが可能で、その取付け、取外し作業を容易且つ迅速に行うことができるようになる。これにより、例えば特性が異なる複数種類の防振ブッシュ１０を交換しながら性能試験等を行う場合、防振ブッシュ１０の外筒２６やロアアーム１２の円筒部１４等を損傷することなく交換作業を短時間で容易に行うことができる。
【００２５】
また、軸方向溝４２が円筒部１４の内周面に軸方向の全長に亘って設けられており、外筒２６の一端部に設けられた突起５０は、その外筒２６がその一端部側から円筒部１４に対して嵌合端まで嵌合されることにより、軸方向溝４２を通過して円筒部１４の軸方向の一端部から突き出し、軸心Ｓまわりに相対回転させられることによりその円筒部１４の一端部に設けられた係止部４４に係止される。したがって、例えば軸方向溝を軸方向の途中まで設け、その軸方向溝の先端からＬ字型に溝を形成して係止部とし、突起を軸方向の中間位置に設ける場合に比較して、構造が簡単で安価に構成できる。
【００２６】
また、ゴム弾性体２４に一体に設けられたフランジ４０によってストッパが構成されており、そのフランジ４０が円筒部１４の他端部に当接して弾性変形させられることにより、突起５０が突出傾斜部４６を乗り越えて凹所４８内に位置決めされるため、軸部材２２を車体に固定する前の運搬時や車体に固定した後の車両駆動時等に、軸心Ｓまわりに相対回転して突起５０と軸方向溝４２とが一致して防振ブッシュ１０が円筒部１４から軸方向へ抜け出すことが一層確実に防止される。この場合でも、防振ブッシュ１０を軸方向へ押圧してフランジ４０を弾性変形させれば、突起５０を凹所４８から脱出させて軸方向溝４２と一致する位置まで相対回転させることができるため、取外しの際の作業性を十分に確保できる。
【００２７】
また、ゴム弾性体２４に一体に設けられたフランジ４０によってストッパが構成されているため、弾性変形可能なストッパ等を別個に設ける場合に比較して安価に構成される。
【実施例２】
【００２８】
次に、本発明の他の実施例を説明する。なお、以下の実施例において前記実施例と実質的に共通する部分には同一の符号を付して詳しい説明を省略する。
【００２９】
上記実施例では、円筒部１４に軸方向溝４２が設けられ、外筒２６に突起５０が設けられていたが、図４の防振ブッシュ６０のように、外筒２６に軸方向溝６２を設けるとともに円筒部１４に突起６４を設けるようにしても良い。すなわち、軸方向溝６２は外筒２６の外周面に軸心Ｓと平行に軸方向の全長に亘って設けられており、突起６４は円筒部１４の軸方向の一端部（この実施例では図４における左端部）に内周側へ突き出すように設けられ、円筒部１４がその一端部側から外筒２６に対して相対的に嵌合され、ストッパ６６によって規定される嵌合端まで嵌合されることにより、外筒２６の軸方向の一端部（この実施例では図４における左端部）から突き出す。そして、その状態で軸心Ｓまわりに所定角度だけ相対回転させると、外筒２６の一端部に設けられた係止部６８に突起６４が係止され、これにより防振ブッシュ６０が円筒部１４から軸方向へ抜け出すことが防止される。
【００３０】
上記ストッパ６６は、円筒部１４の軸方向の他端部に内周側へ突き出すように一体に設けられたフランジで、前記ゴム弾性体２４に当接させられることによって嵌合端を規定するようになっている。ゴム弾性体２４には、外筒２６の端面に沿って外周側へ延びるフランジ状の当接部７０が一体に設けられており、ストッパ６６はこの当接部７０に当接させられる。ストッパ６６の内径は外筒２６の内径と略同じである。また、係止部６８は、図示は省略するが前記係止部４４と同様に一対の突出傾斜部４６および凹所４８を有して構成されており、軸心Ｓまわりに所定角度だけ相対回転させて突起６４を係止部６８に係止する際に、ストッパ６６をゴム弾性体２４の当接部７０に押圧して弾性変形させることにより、突起６４が突出傾斜部４６を乗り越えて凹所４８内に位置決めされるようになっている。上記当接部７０は、ゴム弾性体２４に設けられたフランジに相当する。
本実施例においても、実質的に前記実施例と同様の作用効果が得られる。
【００３１】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００３２】
１０、６０：防振ブッシュ    １２：ロアアーム（被取付部材）    １４：円筒部    ２２：軸部材    ２４：ゴム弾性体    ２６：外筒    ３２、３４：連結部    ４０：フランジ    ４２、６２：軸方向溝    ４４、６８：係止部    ４６：突出傾斜部    ４８：凹所    ５０、６４：突起    ６６：ストッパ    ７０：当接部（フランジ）    Ｓ：軸心
【図１】
0005528373.tif 000002
【図２】
0005528373.tif 000003
【図３】
0005528373.tif 000004
【図４】
0005528373.tif 000005